(57)【要約】【課題】省電力モードの期間中において、消費電力の削減効果を高めることができる電子機器及び電子機器の制御方法を提供すること。【解決手段】外部から入力される認証データに基づき認証を行う電子機器１であって、センサ５により、測定した照度が予め定めた規定値以下の場合に所定の信号を出力し、制御部２により、所定の信号が入力されたときに、バッテリ３の電力を通信部４に供給するように制御し、通信部４により認証データを読み取り、通信部４が読み取った認証データが認証できたときに、バッテリの電力を電子機器全体に供給するように制御する。【選択図】      図1
2013246498.tif 000002
【特許請求の範囲】
【請求項１】
外部から入力される認証データに基づき認証を行う電子機器であって、
バッテリと、
測定した照度が予め定めた規定値以下の場合に所定の信号を出力するセンサと、
前記認証データを読み取る通信部と、
前記所定の信号が入力されたときに、前記バッテリの電力を前記通信部に供給するように制御し、前記通信部が読み取った前記認証データが認証できたときに、前記バッテリの電力を前記電子機器全体に供給するように制御する制御部と、
を備えたことを特徴とする電子機器。
【請求項２】
前記制御部は、
前記センサから前記所定の信号を受けたときに、前記バッテリの電力を前記通信部に供給するための第１の供給指示を出力し、前記通信部が読み取った前記認証データを認証し、認証できたときに、前記バッテリの電力を前記電子機器全体に供給するための第２の供給指示を出力する機器制御部と、
前記機器制御部から前記第１の供給指示を受け、前記バッテリの電力を前記通信部に供給するように制御し、前記機器制御部から前記第２の供給指示を受け、前記バッテリの電力を前記電子機器全体に供給するように制御する電源制御部と、
を備えたことを特徴とする請求項１記載の電子機器。
【請求項３】
前記通信部は、近距離無線通信機能を有し、近距離無線通信可能なＩＣカードに格納されている前記認証データを近距離無線通信により読み取る、ことを特徴とする請求項１、又は２記載の電子機器。
【請求項４】
前記センサは、前記通信部が前記ＩＣカードを読み取るときに、測定する照度が前記規定値以下になるように前記通信部の近傍に設定する、ことを特徴とする請求項３記載の電子機器。
【請求項５】
外部から入力される認証データに基づき認証を行う電子機器の制御方法であって、
センサにより、照度を測定しこの測定値が予め定めた規定値以下の場合に所定の信号を出力し、
前記電子機器の備えた制御部により、前記センサから前記所定の信号を受けたときに、前記電子機器の備えたバッテリの電力を前記電子機器の備えた通信部に供給するように制御し、
前記通信部により、前記バッテリから電力の供給を受け、前記電力の供給を受けているときに認証データを読み取り、
前記制御部により、前記通信部が読み取った前記認証データを認証し、認証できたときに、前記バッテリの電力を前記電子機器全体に供給するように制御する、
ことを特徴とする電子機器の制御方法。
【請求項６】
前記通信部により、近距離無線通信可能なＩＣカードに格納されている前記認証データを近距離無線通信により読み取る、ことを特徴とする請求項５記載の電子機器の制御方法。
【請求項７】
前記センサは、前記通信部が前記ＩＣカードを読み取るときに、測定する照度が前記規定値以下になるように前記通信部の近傍に設定される、ことを特徴とする請求項６記載の電子機器の制御方法。
【発明の詳細な説明】
【技術分野】
【０００１】
本発明は、電子機器及び電子機器の制御方法に関し、電子機器の消費電力を抑える電子機器及び電子機器の制御方法に関する。
【背景技術】
【０００２】
近年、スマートフォン、タブレットＰＣ（Ｐｅｒｓｏｎａｌ  Ｃｏｍｐｕｔｅｒ）を含む携帯端末装置、ノート型コンピュータ、ポータブルゲームシステム等の電子機器の普及がすすんでいる。これらの電子機器は、操作性や動作速度を向上させるため、電子機器の表示部である例えばＬＣＤ（Ｌｉｑｕｉｄ  Ｃｒｙｓｔａｌ  Ｄｉｓｐｌａｙ）表示画面の大型化やＣＰＵ（Ｃｅｎｔｒａｌ  Ｐｒｏｃｅｓｓｉｎｇ  Ｕｎｉｔ）の動作クロック周波数の高速化が進んでおり、このため、消費電力が増加している。一方、通常、これらの電子機器はバッテリにより駆動しており、電子機器を駆動しているバッテリの駆動時間の伸延が望まれている。一般的に、バッテリ駆動時間の伸延には消費電力の削減が有効と考えられている。このため、電子機器を駆動するバッテリの消費電力の削減が急務となっている。
【０００３】
特許文献１に消費電力の低減を図った技術が開示されている。特許文献１に開示の電子機器は、個人認証機能を有し、ユーザーによる操作等が一定時間行われなかった場合、個人認証を行う部分（個人認証部）を含めた必要最小限の部分へのみ電力を供給する省電力モードを採用し、これにより消費電力を削減している。そして、個人認証部によりユーザーの個人認証を行うことによって省電力モードから通常モードへ復帰するようにしている。
【０００４】
特許文献１に開示の電子機器は、ＣＰＵと、電源部と、電源制御部と、個人認証部（非接触ＩＣカードリーダ）とを備えている。非接触ＩＣカードリーダは、非接触ＩＣカードリーダを制御するマイクロコンピュータと非接触ＩＣカードから送信されるデータを受信する受信部とを有する。ＣＰＵは、電子機器の各種機能を制御する。電源部は、各部に電源を供給する各電源系を有する。電源制御部は、電源部の有する各電源系のオン、オフを制御する。非接触ＩＣカードリーダは、マイクロコンピュータにより、受信部で受けたデータ（認証データ）を調べ、このデータが認証できたときに、電源制御部に対して各電源系をオンにするための復帰信号を出力する。認証データとは、電子機器の操作を許可するための、個人を認証するデータである。
【０００５】
ここで、電子機器が省電力モードであった場合、省電力モードから通常モードへ復帰する動作について説明する。省電力モード時、電源制御部は、ＣＰＵに対する電力供給をオフにし、個人認証部（非接触ＩＣカードリーダ）の電源をオンにしている。すなわち、非接触ＩＣカードリーダ内のマイクロコンピュータと受信部には電力が供給される。受信部の消費電流は、一般的に概ね１００ｍＡ程度であり比較的大きい。このマイクロコンピュータは、非接触ＩＣカードリーダ内の受信部からの入力データを監視する。そして、マイクロコンピュータは、入力データがあった場合、このデータ（認証データ）を調べ、このデータが認証できたときに、ユーザーからのアクセスがあったと判断し、省電力モードから通常モードへ復帰するための復帰信号を出力する。電源制御部は、マイクロコンピュータから出力された復帰信号を受け、電源部の各電源系をオンにする。これによりＣＰＵにも電力が供給され、電子機器が通常モードへ復帰する。
【０００６】
このように、特許文献１に開示の電子機器は、省電力モードから通常モードへ復帰するときに認証を行うようにした機器である。そして、ユーザーによる操作等が一定時間行われなかった場合に省電力モードにしている。この省電力モードは、ＣＰＵに対する電力供給をオフにし、通常モードへ復帰するときに使用する個人認証部（非接触ＩＣカードリーダ）内のマイクロコンピュータと受信部には電力を供給するモードである。特許文献１に開示の技術は、このモードにすることにより、電子機器の消費電力を削減している。
【先行技術文献】
【特許文献】
【０００７】
【特許文献１】特開２００９-２８８９７１号公報
【発明の概要】
【発明が解決しようとする課題】
【０００８】
上述した特許文献１に記載の電子機器は、ユーザーによる操作等が一定時間行われなかった場合、電子機器を省電力モードにして、電子機器の消費電力を削減している。しかし、この省電力モードでは、ＣＰＵに対する電力供給をオフにするものの、通常モードへ復帰するときに使用する個人認証部（非接触ＩＣカードリーダ）、すなわち、マイクロコンピュータと受信部との電源をオンにしている。このため、省電力モードの期間中常時、非接触ＩＣカードリーダ内のマイクロコンピュータと受信部とで電力が消費されるといった問題がある。
【０００９】
本発明の目的は、上記課題を解決して、省電力モードの期間中において、消費電力の削減効果を高めることができる電子機器及び電子機器の制御方法を提供することである。
【課題を解決するための手段】
【００１０】
本発明の電子機器は、外部から入力される認証データに基づき認証を行う電子機器であって、バッテリと、測定した照度が予め定めた規定値以下の場合に所定の信号を出力するセンサと、前記認証データを読み取る通信部と、前記所定の信号が入力されたときに、前記バッテリの電力を前記通信部に供給するように制御し、前記通信部が読み取った前記認証データが認証できたときに、前記バッテリの電力を前記電子機器全体に供給するように制御する制御部とを備えている。
【００１１】
本発明の電子機器の制御方法は、外部から入力される認証データに基づき認証を行う電子機器の制御方法であって、センサにより、照度を測定しこの測定値が予め定めた規定値以下の場合に所定の信号を出力し、前記電子機器の備えた制御部により、前記センサから前記所定の信号を受けたときに、前記電子機器の備えたバッテリの電力を前記電子機器の備えた通信部に供給するように制御し、前記通信部により、前記バッテリから電力の供給を受け、前記電力の供給を受けているときに認証データを読み取り、前記制御部により、前記通信部が読み取った前記認証データを認証し、認証できたときに、前記バッテリの電力を前記電子機器全体に供給するように制御するようにしている。
【発明の効果】
【００１２】
本発明によれば、省電力モードの期間中において、消費電力の削減効果を高めることが可能な電子機器及び電子機器の制御方法を提供することができる。
【図面の簡単な説明】
【００１３】
【図１】本発明の第１の実施の形態に係る電子機器の一例を示す図である。
【図２】本発明の第２の実施の形態に係る電子機器の一例を示す図である。
【図３】本発明の第２の実施の形態の動作の一例を示すフローチャートである。
【図４】本発明の第２の実施の形態に係る電子機器において、通信部とセンサとの位置関係を説明するための携帯端末装置の一例を示す図である。
【発明を実施するための形態】
【００１４】
次に、本発明の実施の形態について図面を参照して説明する。
（第１の実施の形態）
図１は、本発明の第１の実施の形態に係る電子機器の一例を示す図である。
【００１５】
本電子機器１は、外部から入力される認証データに基づき認証を行う電子機器であり、認証がなされたときに省電力モードから通常モードに復帰する。省電力モードとは、電子機器１の電源がＯＮされたのち、予め定めた時間入力がなかった場合に、あるいは、電子機器１の電源キーの短押しを検出した場合、電子機器１の予め定めた部分（例えば、通常モードへ復帰するために必要な部分）以外への電源の供給を停止するモードである。スマートフォン、タブレットＰＣを含む携帯端末装置の場合は、携帯端末装置の使用を一時休止する待機状態に遷移したときに省電力モードになる。通常モードとは、電子機器１全体に電力を供給するモードである。
【００１６】
本実施の形態に係る電子機器１は、バッテリ３と、センサ５と、通信部４と、制御部２とにより構成する。図１には、電子機器１のユーザーインターフェース（ＵＩ）である、例えばタッチ操作可能な操作部６とＬＣＤ等の表示部７も記載してある。
【００１７】
バッテリ３は、電子機器１に電力を供給する。センサ５は、バッテリ３から常時電力を供給されている。そして、センサ５は、電子機器１の筐体に設定されこの設定された箇所の受ける照度を測定する。そして、この測定値が予め定めた規定値（例えば、１００ルクス。この値にこだわることなく、使用環境、システムにより適宜変更してよい。）以下の場合に規定値以下であることを示す信号（所定の信号）を出力する。通信部４は、センサ５が規定値以下であることを示す信号を出力した際に、バッテリ３から電力の供給を受け、電力の供給を受けているときに、認証データを読み取る。制御部２は、バッテリ３から電力を常時供給され、センサ５から規定値以下であることを示す信号を受けたときに、バッテリ３の電力を通信部４に供給するように制御する。また、通信部４が読み取った認証データを認証し、認証できたときに、センサ５と自身の制御部２を含む電子機器１全体にバッテリ３の電力を供給するように制御する。
【００１８】
すなわち、電子機器１は、省電力モードになった後に、次のようにして通常モードに復帰する。電子機器１は、省電力モードになったとき、センサ５と制御部２には、バッテリ３からの電力が供給され、通信部４、操作部６、及び表示部７には、バッテリ３から電力は供給されない。したがって、センサ５と制御部２は稼動し、通信部４、操作部６、及び表示部７は稼動しない。センサ５の動作中の消費電流は、一般的に概ね１００μＡ程度である。また、通信部４の動作中の消費電流は、一般的に概ね１００ｍＡ程度であり、センサ５の動作中の消費電流の千倍である。センサ５は、通信部４がＩＣカードから認証データを読み取るときに、センサ５が測定する照度が規定値以下になるように通信部４の近傍に設定される。ユーザーは、省電力モードになって停止している電子機器１を稼動させるために、通信部４に、例えば認証データを格納し通信手段を備えたＩＣカードをかざす。このとき、センサ５に例えばＩＣカードの影がかかる。センサ５は、このときの照度を測定し測定値が予め定めた規定値以下の場合に規定値以下であることを示す信号（ＩＣカードをかざしたことを示す信号）を出力する。制御部２は、センサ５から規定値以下であることを示す信号を受け、バッテリ３の電力を通信部４に供給するように制御する。通信部４は、バッテリ３から電力の供給を受け、ＩＣカードから認証データを読み取る。制御部２は、通信部４が読み取った認証データを認証し、認証できたときに、バッテリ３の電力をセンサ５と自身の制御部２を含む電子機器１全体に供給するように制御する。
【００１９】
このように、本発明の第１の実施の形態によれば、省電力モードになったとき、センサ５と制御部には、バッテリ３からの電力が供給され、通信部４にはバッテリ３から電力は供給されない。そして、センサ５が規定値以下であることを示す信号（ＩＣカードをかざしたことを示す信号）を出力したときに、通信部４は、電力が供給されて稼動しＩＣカードから認証データを読み取る。そして、制御部により、通信部４が読み取った認証データを認証し、認証できたときに、バッテリ３の電力を電子機器全体に供給する。これにより、電子機器は省電力モードから通常モードに復帰する。
【００２０】
このように、本発明の第１の実施の形態によれば、省電力モードのときに、認証データを読み取るための通信部に供給する電力を停止している。そして、通常モードへ復帰するときの認証動作の開始を、センサ（消費電流、１００μＡ）により検知し、検知した後に、認証データを読み取る通信部（消費電流、１００ｍＡ）に電力を供給する。このため、省電力モードの期間中にわたって常時、通信部に電力を供給する必要がないので、省電力モードの期間中において、消費電力の削減効果を高めることができる。
（第２の実施の形態）
図２は、本発明の第２の実施の形態に係る電子機器の一例を示す図である。
【００２１】
この図２は、図１の制御部２を、機器制御部８と電源制御部９に分けたものである。機器制御部８と電源制御部９以外は本発明の第１の実施の形態と同じである。したがって、主に第１の実施の形態と相違する部分について説明する。
【００２２】
本実施の形態に係る電子機器１は、バッテリ３と、センサ５と、通信部４と、機器制御部８と、電源制御部９とにより構成する。図２には、電子機器１のユーザーインターフェース（ＵＩ）である操作部６と表示部７も記載してある。
【００２３】
機器制御部８は、バッテリ３から電力を常時供給され、センサ５から規定値以下であることを示す信号を受けたときに、バッテリ３の電力を通信部４に供給するための第１の供給指示を出力する。また、通信部４が読み取った認証データを認証し、認証できたときに、バッテリ３の電力を電子機器１全体に供給するための第２の供給指示を出力する。
【００２４】
電源制御部９は、機器制御部８から第１の供給指示を受け、バッテリ３の電力を通信部４に供給するように制御する。また、機器制御部８から第２の供給指示を受け、バッテリ３の電力を電子機器１全体に供給するように制御する。
【００２５】
通信部４は、近距離無線通信機能を有し、近距離無線通信可能なＩＣカードに格納されている認証データを近距離無線通信により読み取る。
【００２６】
センサ５は、通信部４がＩＣカードから認証データを読み取るときに、センサ５が測定する照度が規定値以下になるように通信部４の近傍に設定される。
【００２７】
次に、本発明の第２の実施の形態に係る電子機器の動作を図３から図４を参照して詳細に説明する。
【００２８】
図３は、本発明の第２の実施の形態の動作の一例を示すフローチャートである。
【００２９】
図４は、本発明の第２の実施の形態に係る電子機器において、通信部４とセンサ５との位置関係を説明するための携帯端末装置の一例を示す図である。センサ５は通信部４の近傍に設定されている。すなわち、センサ５は、例えば、ユーザーがこの電子機器１を使用するために認証データを格納したＩＣカードを図４で示すアンテナ部分にある通信部４にかざして認証する際、このＩＣカードの影がセンサ５にかかるような位置に設定される。（ａ）は、ＩＣカードを通信部４へかざしていないときの携帯端末装置の一例を示す。そして、携帯端末装置の正面には、例えば、表示部７（ＬＣＤ）と、通信部４と、センサ５とが配置されている。通信部４は携帯端末装置に内蔵されアンテナの位置を示す点線が記載されている。センサ５は携帯端末装置に埋められ窓の部分から一部が見えている。（ｂ）は、ＩＣカードを通信部４のアンテナ部分にかざして接近させているときの携帯端末装置の一例を示す。ＩＣカードによりセンサ５が覆われ、センサ５に影ができている状態を示している。
【００３０】
ここで、電子機器１が、省電力モードになった後に、通常モードに復帰する動作を説明する。電子機器１は、省電力モードになったとき、センサ５、機器制御部８、及び電源制御部９にはバッテリ３からの電力が供給され、通信部４、操作部６、及び表示部７には、バッテリ３から電力は供給されない。したがって、センサ５、機器制御部８、及び電源制御部９は稼動し、通信部４、操作部６、及び表示部７は稼動しない。尚、電子機器１は、通常のオフィス環境の明るさ（例えば、３００ルクス程度）の中に設定されているものとする。
【００３１】
図３のステップＳ１では、センサ５は、照度を測定し測定値が予め定めた規定値（例えば、１００ルクス）以下になるまで、この動作を続ける。そして、ユーザーが、省電力モードになって停止している電子機器１を稼動させるために、通信部４に、認証データを格納した近距離無線通信手段を備えたＩＣカードをかざす。すると、図４の（ｂ）に示すように、センサ５にＩＣカードの影がかかる。このとき、測定値が予め定めた規定値以下になり、ステップＳ２へ進む。
【００３２】
図３のステップＳ２では、センサ５は、規定値以下であることを示す信号（ＩＣカードをかざしたことを示す信号）を出力する。
【００３３】
図３のステップＳ３では、機器制御部８は、センサ５から規定値以下であることを示す信号を受け、バッテリ３の電力を通信部４に供給するための第１の供給指示を出力する。
【００３４】
図３のステップＳ４では、電源制御部９は、機器制御部８から第１の供給指示を受け、バッテリ３の電力を通信部４に供給するように制御する。
【００３５】
図３のステップＳ５では、通信部４は、バッテリ３から電力の供給を受けて稼働し、通信部４にかかっているＩＣカードから近距離無線通信により認証データを読み取る。
【００３６】
図３のステップＳ６では、機器制御部８は、通信部４が読み取った認証データが、予め格納してある認証用の情報の中にあるか否かを調べる。そして、この認証データが認証用の情報の中にあるときには、認証できたとしてステップＳ７へ進む。この認証データが認証用の情報の中にないときには、認証できなかったとしてステップＳ１へ進む。
【００３７】
図３のステップＳ７では、機器制御部８は、バッテリ３の電力を電子機器１全体に供給するための第２の供給指示を出力する。
【００３８】
図３のステップＳ８では、電源制御部９は、機器制御部８から第２の供給指示を受け、バッテリ３の電力を電子機器１全体に供給するように制御する。
【００３９】
これにより、電子機器１全体にバッテリ３からの電力が供給され、電子機器１は省電力モードから通常モードに復帰する。
【００４０】
このように、本発明の第２の実施の形態によれば、省電力モードになったとき、センサ５と機器制御部８と電源制御部９には、バッテリ３からの電力が供給され、通信部４にはバッテリ３から電力は供給されない。そして、センサ５が規定値以下であることを示す信号（ＩＣカードをかざしたことを示す信号）を出力したときに、通信部４は、電力が供給されて稼動しＩＣカードから認証データを読み取る。そして、機器制御部８により、通信部４が読み取った認証データを認証し、認証できたときに、電源制御部９により、バッテリ３の電力を電子機器全体に供給する。これにより、電子機器は省電力モードから通常モードに復帰する。
【００４１】
このように、本発明の第２の実施の形態によれば、省電力モードのときに、認証データを読み取るための通信部に供給する電力を停止している。そして、通常モードへ復帰するときの認証動作の開始を、センサ（消費電流、１００μＡ）により検知し、検知した後に、認証データを読み取る通信部（消費電流、１００ｍＡ）に電力を供給する。このため、省電力モードの期間中にわたって常時、通信部に電力を供給する必要がないので、省電力モードの期間中において、消費電力の削減効果を高めることができる。
【符号の説明】
【００４２】
１  電子機器
２  制御部
３  バッテリ
４  通信部
５  センサ
６  操作部
７  表示部
８  機器制御部
９  電源制御部
【図１】
2013246498.tif 000003
【図２】
2013246498.tif 000004
【図３】
2013246498.tif 000005
【図４】
2013246498.tif 000006